(57)【要約】【課題】発光パネルを簡単な取り付け動作により取り付けることができ、且つ、複数の発光パネルを互いに隣接させて配置する場合に隣り合う発光パネルどうしの間隔を抑制できるようにする。【解決手段】取付装置は、発光パネル１０１をベース部９０に対して取り付けるための取付装置であって、発光パネル１０１においてベース部９０に対して対向する面（第２面１０１ｂ）に取り付けられる第１取付部１０と、ベース部９０に取り付けられる第２取付部２０と、を備える。第１取付部１０と第２取付部２０とのうちの一方は、少なくとも一対の係合爪３０を有し、他方は、少なくとも一対の係合爪３０がそれぞれ係合される被係合部５０を有する。第１取付部１０が第２取付部２０側に近づけられることにより、係合爪３０がそれぞれ対応する被係合部５０に対して係合し、第１取付部１０と第２取付部２０とが相互に固定される。【選択図】図１
2015011858.tif 000002
【特許請求の範囲】
【請求項１】
発光パネルをベース部に対して取り付けるための取付装置であって、
前記発光パネルに取り付けられる第１取付部と、
前記ベース部に取り付けられる第２取付部と、
を備え、
前記第１取付部は、前記発光パネルにおいて前記ベース部に対して対向する面に取り付けられるものであり、
前記第１取付部と前記第２取付部とのうちの一方は、少なくとも一対の係合爪を有し、他方は、前記少なくとも一対の係合爪がそれぞれ係合される被係合部を有し、
前記第１取付部が前記第２取付部側に近づけられることにより、前記係合爪がそれぞれ対応する前記被係合部に対して係合し、前記第１取付部と前記第２取付部とが相互に固定される取付装置。
【請求項２】
前記第１取付部は前記発光パネルよりも面積が小さい請求項１に記載の取付装置。
【請求項３】
前記第２取付部は、前記発光パネルに電力を供給するための給電端子を有する請求項１又は２に記載の取付装置。
【請求項４】
前記第２取付部は、当該第２取付部が前記ベース部に対して取り付けられた状態で、前記ベース部より突出する突出部を有し、
前記突出部は、前記発光パネルに対して対向する対向面と、前記対向面に対して交差している側面と、を有し、
前記突出部の側面には、当該突出部内に導通ケーブルを導入するための導入孔が形成されている請求項３の何れか一項に記載の取付装置。
【請求項５】
前記第１取付部が前記係合爪を有し、前記第２取付部が前記被係合部を有する請求項１〜４の何れか一項に記載の取付装置。
【請求項６】
前記第２取付部は、前記発光パネルに対して対向する対向面と、前記対向面に対して交差している側面と、を有し、
前記被係合部は、前記第２取付部の側面に形成されている請求項５に記載の取付装置。
【請求項７】
光源取付装置に対して取り付けられる面光源であって、
発光パネルと、
前記発光パネルにおいて前記光源取付装置に対して対向する面に設けられた第１取付部と、
を備え、
前記第１取付部は、前記光源取付装置に取り付けられた第２取付部に対して固定されるものであり、
前記第１取付部と前記第２取付部とのうちの一方は、少なくとも一対の係合爪を有し、他方は、前記少なくとも一対の係合爪がそれぞれ係合される被係合部を有し、
当該面光源が前記光源取付装置側に近づけられることにより、前記係合爪がそれぞれ対応する前記被係合部に対して係合し、前記第１取付部と前記第２取付部とが相互に固定される面光源。
【請求項８】
発光パネルと、前記発光パネルに設けられた第１取付部と、を有する面光源が取り付けられる光源取付装置であって、
ベース部と、
前記ベース部に設けられ、前記第１取付部に対して固定される第２取付部と、
を備え、
前記第１取付部は、前記発光パネルにおいて前記ベース部に対して対向する面に設けられ、
前記第１取付部と前記第２取付部とのうちの一方は、少なくとも一対の係合爪を有し、他方は、前記少なくとも一対の係合爪がそれぞれ係合される被係合部を有し、
前記面光源が当該光源取付装置側に近づけられることにより、前記係合爪がそれぞれ対応する前記被係合部に対して係合し、前記第１取付部と前記第２取付部とが相互に固定される光源取付装置。
【請求項９】
面光源と、
前記面光源が取り付けられる光源取付装置と、
を備え、
前記面光源は、
前記発光パネルと、
前記発光パネルに設けられた第１取付部と、
を備え、
前記光源取付装置は、
ベース部と、
前記ベース部に設けられた第２取付部と、
を備え、
前記第１取付部は、前記発光パネルにおいて前記ベース部に対して対向する面に設けられ、
前記第１取付部と前記第２取付部とのうちの一方は、少なくとも一対の係合爪を有し、他方は、前記少なくとも一対の係合爪がそれぞれ係合される被係合部を有し、
前記第１取付部が前記第２取付部側に近づけられることにより、前記係合爪がそれぞれ対応する前記被係合部に対して係合し、前記第１取付部と前記第２取付部とが相互に固定される発光装置。
【発明の詳細な説明】
【技術分野】
【０００１】
本発明は、取付装置、面光源、光源取付装置および発光装置に関する。
【背景技術】
【０００２】
発光パネルを壁や天井等に取り付けるための技術としては、例えば特許文献１に記載されているように、壁や天井等に固定された固定具に発光パネルを係止させることによって、発光パネルを取り付ける技術がある。特許文献１の技術では、フック状の固定具によって、発光パネルの端部を挟持することによって、発光パネルを取り付ける。
【先行技術文献】
【特許文献】
【０００３】
【特許文献１】特開２０１２−１２４１５９号公報
【発明の概要】
【発明が解決しようとする課題】
【０００４】
特許文献１の技術では、フック状の固定具によって発光パネルの端部を挟持するため、複数の発光パネルを互いに隣接させて配置する場合に、隣り合う発光パネルどうしの間に固定具が介在する。このため、隣り合う発光パネルどうしの間隔を十分に抑制することが困難である。
【０００５】
本発明が解決しようとする課題としては、発光パネルを簡単な取り付け動作により取り付けることができ、且つ、複数の発光パネルを互いに隣接させて配置する場合に隣り合う発光パネルどうしの間隔を抑制できるようにすることが一例として挙げられる。
【課題を解決するための手段】
【０００６】
本発明は、
発光パネルをベース部に対して取り付けるための取付装置であって、
前記発光パネルに取り付けられる第１取付部と、
前記ベース部に取り付けられる第２取付部と、
を備え、
前記第１取付部は、前記発光パネルにおいて前記ベース部に対して対向する面に取り付けられるものであり、
前記第１取付部と前記第２取付部とのうちの一方は、少なくとも一対の係合爪を有し、他方は、前記少なくとも一対の係合爪がそれぞれ係合される被係合部を有し、
前記第１取付部が前記第２取付部側に近づけられることにより、前記係合爪がそれぞれ対応する前記被係合部に対して係合し、前記第１取付部と前記第２取付部とが相互に固定される取付装置を提供する。
【０００７】
また、本発明は、
光源取付装置に対して取り付けられる面光源であって、
発光パネルと、
前記発光パネルにおいて前記光源取付装置に対して対向する面に設けられた第１取付部と、
を備え、
前記第１取付部は、前記光源取付装置に取り付けられた第２取付部に対して固定されるものであり、
前記第１取付部と前記第２取付部とのうちの一方は、少なくとも一対の係合爪を有し、他方は、前記少なくとも一対の係合爪がそれぞれ係合される被係合部を有し、
当該面光源が前記光源取付装置側に近づけられることにより、前記係合爪がそれぞれ対応する前記被係合部に対して係合し、前記第１取付部と前記第２取付部とが相互に固定される面光源を提供する。
【０００８】
また、本発明は、
発光パネルと、前記発光パネルに設けられた第１取付部と、を有する面光源が取り付けられる光源取付装置であって、
ベース部と、
前記ベース部に設けられ、前記第１取付部に対して固定される第２取付部と、
を備え、
前記第１取付部は、前記発光パネルにおいて前記ベース部に対して対向する面に設けられ、
前記第１取付部と前記第２取付部とのうちの一方は、少なくとも一対の係合爪を有し、他方は、前記少なくとも一対の係合爪がそれぞれ係合される被係合部を有し、
前記面光源が当該光源取付装置側に近づけられることにより、前記係合爪がそれぞれ対応する前記被係合部に対して係合し、前記第１取付部と前記第２取付部とが相互に固定される光源取付装置を提供する。
【０００９】
また、本発明は、
面光源と、
前記面光源が取り付けられる光源取付装置と、
を備え、
前記面光源は、
前記発光パネルと、
前記発光パネルに設けられた第１取付部と、
を備え、
前記光源取付装置は、
ベース部と、
前記ベース部に設けられた第２取付部と、
を備え、
前記第１取付部は、前記発光パネルにおいて前記ベース部に対して対向する面に設けられ、
前記第１取付部と前記第２取付部とのうちの一方は、少なくとも一対の係合爪を有し、他方は、前記少なくとも一対の係合爪がそれぞれ係合される被係合部を有し、
前記第１取付部が前記第２取付部側に近づけられることにより、前記係合爪がそれぞれ対応する前記被係合部に対して係合し、前記第１取付部と前記第２取付部とが相互に固定される発光装置を提供する。
【発明の効果】
【００１０】
本発明によれば、発光パネルを簡単な取り付け動作により取り付けることができ、且つ、複数の発光パネルを互いに隣接させて配置する場合に隣り合う発光パネルどうしの間隔を抑制することができる。
【図面の簡単な説明】
【００１１】
【図１】図１（ａ）および（ｂ）は実施形態に係る取付装置を示す模式的な正面断面図であり、このうち図１（ａ）は第１取付部と第２取付部とが分離した状態を示し、図１（ｂ）は第１取付部と第２取付部とが相互に固定された状態を示す。
【図２】図２（ａ）および（ｂ）は実施形態に係る発光装置を示す模式的な正面断面図であり、このうち図２（ａ）は第１取付部と第２取付部とが分離した状態を示し、図２（ｂ）は第１取付部と第２取付部とが相互に固定された状態を示す。
【図３】図３（ａ）〜（ｃ）は第１取付部を示す図であり、このうち図３（ａ）は斜視図、図３（ｂ）は平面図、図３（ｃ）は側面図である。
【図４】第２取付部の分解斜視図である。
【図５】第２取付部の斜視図である。
【図６】図６（ａ）および（ｂ）は第２取付部の端子部材を示す図であり、このうち図６（ａ）は斜視図、図６（ｂ）は側面図である。
【図７】第２取付部に導通ケーブルを接続した状態の側断面図である。
【図８】第２取付部に導通ケーブルを接続した状態を示す斜視図である。
【図９】面光源を光源取付装置に取り付ける動作を示す模式的な正面断面図である。
【図１０】カバー部材を光源取付装置に取り付ける動作を示す模式的な正面断面図である。
【図１１】カバー部材が光源取付装置に取り付けられた状態を示す模式的な正面断面図である。
【図１２】カバー部材とベース部との係合構造を示す正面断面図である。
【図１３】図１３（ａ）および（ｂ）は第１取付部および第２取付部を示す斜視図である。
【図１４】発光パネルの構成の例を示す断面図である。
【図１５】発光パネルの有機機能層の層構造の第１例を示す断面図である。
【図１６】発光パネルの有機機能層の層構造の第２例を示す断面図である。
【図１７】図１７（ａ）および図１７（ｂ）は変形例に係る係合爪を示す正面断面図である。
【発明を実施するための形態】
【００１２】
以下、本発明の実施形態について、図面を用いて説明する。なお、すべての図面において、同様の構成要素には同一の符号を付し、適宜に説明を省略する。
【００１３】
図１（ａ）および（ｂ）は実施形態に係る取付装置を示す模式的な正面断面図であり、このうち図１（ａ）は第１取付部１０と第２取付部２０とが分離した状態を示し、図１（ｂ）は第１取付部１０と第２取付部２０とが相互に固定された状態を示す。
【００１４】
以下においては、説明を簡単にするため、各構成要素の位置関係（上下関係等）が各図に示す関係であるものとして説明を行う場合がある。ただし、この説明における位置関係は、取付装置、面光源、光源取付装置および発光装置の使用時や製造時の位置関係とは無関係である。
【００１５】
本実施形態に係る取付装置は、発光パネル１０１をベース部９０に対して取り付けるための取付装置であって、発光パネル１０１に取り付けられる第１取付部１０と、ベース部９０に取り付けられる第２取付部２０と、を備える。第１取付部１０は、発光パネル１０１においてベース部９０に対して対向する面（第２面１０１ｂ）に取り付けられるものである。第１取付部１０と第２取付部２０とのうちの一方は、少なくとも一対の係合爪３０を有し、他方は、少なくとも一対の係合爪３０がそれぞれ係合される被係合部５０を有する。第１取付部１０が第２取付部２０側に近づけられることにより、係合爪３０がそれぞれ対応する被係合部５０に対して係合し、第１取付部１０と第２取付部２０とが相互に固定される。
【００１６】
図２（ａ）および（ｂ）は実施形態に係る発光装置を示す模式的な正面断面図であり、このうち図２（ａ）は第１取付部１０と第２取付部２０とが分離した状態を示し、図２（ｂ）は第１取付部１０と第２取付部２０とが相互に固定された状態を示す。
【００１７】
本実施形態に係る発光装置は、面光源１００と、面光源１００が取り付けられる光源取付装置２００と、を備える。面光源１００は、発光パネル１０１と、発光パネル１０１に設けられた第１取付部１０と、を備える。光源取付装置２００は、ベース部９０と、ベース部９０に設けられた第２取付部２０と、を備える。第１取付部１０は、発光パネル１０１においてベース部９０に対して対向する面（第２面１０１ｂ）に取り付けられるものである。第１取付部１０と第２取付部２０とのうちの一方は、少なくとも一対の係合爪３０を有し、他方は、少なくとも一対の係合爪３０がそれぞれ係合される被係合部５０を有する。第１取付部１０が第２取付部２０側に近づけられることにより、係合爪３０がそれぞれ対応する被係合部５０に対して係合し、第１取付部１０と第２取付部２０とが相互に固定される。
【００１８】
また、本実施形態に係る面光源１００は、光源取付装置２００に対して取り付けられる面光源１００である。面光源１００は、発光パネル１０１と、発光パネル１０１において光源取付装置２００に対して対向する面（第２面１０１ｂ）に設けられた第１取付部１０と、を備える。第１取付部１０は、光源取付装置２００に取り付けられた第２取付部２０に対して固定されるものである。第１取付部１０と第２取付部２０とのうちの一方は、少なくとも一対の係合爪３０を有し、他方は、少なくとも一対の係合爪３０がそれぞれ係合される被係合部５０を有する。面光源１００が光源取付装置２００側に近づけられることにより、係合爪３０がそれぞれ対応する被係合部５０に対して係合し、第１取付部１０と第２取付部２０とが相互に固定される。
【００１９】
また、本実施形態に係る光源取付装置２００は、発光パネル１０１と、発光パネル１０１に設けられた第１取付部１０と、を有する面光源１００が取り付けられる光源取付装置２００である。光源取付装置２００は、ベース部９０と、ベース部９０に設けられ、第１取付部１０に対して固定される第２取付部２０と、を備える。第１取付部１０は、発光パネル１０１においてベース部９０に対して対向する面（第２面１０１ｂ）に設けられている。第１取付部１０と第２取付部２０とのうちの一方は、少なくとも一対の係合爪３０を有し、他方は、少なくとも一対の係合爪３０がそれぞれ係合される被係合部５０を有する。面光源１００が光源取付装置２００側に近づけられることにより、係合爪３０がそれぞれ対応する被係合部５０に対して係合し、第１取付部１０と第２取付部２０とが相互に固定される。
【００２０】
図２（ａ）に示すように、発光パネル１０１は、パネル状に形成されている。発光パネル１０１は、光を放射する発光面である第１面１０１ａと、第１面１０１ａに対する裏面である第２面１０１ｂと、を有する。第２面１０１ｂは、ベース部９０に対して対向するように配置される。
【００２１】
取付装置の第１取付部１０は、第２面１０１ｂ、すなわち発光パネル１０１においてベース部９０に対して対向する面に取り付けられる。発光パネル１０１をその面直方向に見たとき、第１取付部１０の面積は発光パネル１０１の面積よりも小さく、第１取付部１０は、発光パネル１０１をその面直方向に見たときの外形線の内側に位置するように発光パネル１０１に取り付けられる。より具体的には、第１取付部１０は、例えば、第２面１０１ｂの中央部に取り付けられる。
【００２２】
また、第２取付部２０の面積は第１取付部１０の面積と同等である。第１取付部１０と第２取付部２０とが相互に固定された状態において、第２取付部２０は、発光パネル１０１をその面直方向に見たときの外形線の内側に位置するようになっている。
【００２３】
第２取付部２０は、発光パネル１０１に電力を供給するための給電端子（電極端子６１）を有する。一方、発光パネル１０１は、電極端子６１から電力を受ける受電端子（電極端子１７１）を有する（図３（ａ）、（ｂ）参照）。
【００２４】
本実施形態の場合、第１取付部１０と第２取付部２０とのうち、第１取付部１０が係合爪３０を有し、第２取付部２０が被係合部５０を有する。
【００２５】
第１取付部１０は、互いに対向して配置された少なくとも一対の係合爪３０を有している。
【００２６】
係合爪３０は、例えば、支持部３１と、第１傾斜部３２と、係合部３３と、第２傾斜部３４と、荷重受部３５と、を有する。
【００２７】
支持部３１は、その基端側（下端側）が発光パネル１０１の第２面１０１ｂに固定されている。支持部３１は、その基端側（下端側）から一方（上側）に向けて起立している。
【００２８】
第１傾斜部３２は、支持部３１の先端部（上端部）から折り返されるようにして形成された部分である。第１傾斜部３２は、支持部３１よりも、対向する係合爪３０の近くに位置する。第１傾斜部３２は、互いに対向する係合爪３０の第１傾斜部３２どうしの間隔が、上方に向けて広がるように、傾斜している。
【００２９】
第２傾斜部３４は、第１傾斜部３２の先端部（下端部）から折り返されるようにして形成された部分である。第２傾斜部３４は、支持部３１よりも、対向する係合爪３０の近くに位置する。第２傾斜部３４は、第１傾斜部３２よりも下側に位置する。第２傾斜部３４は、互いに対向する係合爪３０の第２傾斜部３４どうしの間隔が、下方に向けて広がるように、傾斜している。
【００３０】
係合部３３は、第１傾斜部３２と第２傾斜部３４との間の屈曲部およびその近傍の部分である。係合爪３０が被係合部５０に対して係合した状態において、係合部３３は被係合部５０に対して接触した状態となる（図２（ｂ）参照）。
【００３１】
荷重受部３５は、第２傾斜部３４の先端部（下端部）から折り返されるようにして形成された部分であり、第２傾斜部３４の先端部から下向きに突出している。荷重受部３５は、支持部３１よりも、対向する係合爪３０の近くに位置する。荷重受部３５の先端（下端）は、発光パネル１０１の第２面１０１ｂの近傍に位置する。係合爪３０が被係合部５０に対して係合する際に、荷重受部３５が発光パネル１０１の第２面１０１ｂに接触することにより、係合爪３０の座屈（例えば支持部３１と第１傾斜部３２との境界の屈曲部の座屈等）が抑制される。
【００３２】
第２取付部２０は、各係合爪３０が係合される被係合部５０を有している。被係合部５０は、第１傾斜面５１と第２傾斜面５２とを有する。第１傾斜面５１は、被係合部５０の下部を構成し、第２傾斜面５２は被係合部５０の上部を構成している。第１傾斜面５１と第２傾斜面５２とにより１つの突起形状が形成されている。
【００３３】
互いに対向する一対の係合爪３０が係合する一対の被係合部５０を、以下、単に一対の被係合部５０という。
一対の被係合部５０の第１傾斜面５１どうしの間隔は、下方に向けて狭くなっている。これにより、係合爪３０を被係合部５０に対して係合させる際に、第１傾斜面５１が係合爪３０をガイドすることにより、係合爪３０を被係合部５０に対してスムーズに係合させることができる。より具体的には、第１傾斜面５１が第１傾斜部３２および係合部３３をガイドすることにより、係合部３３を被係合部５０に対してスムーズに係合させることができる。
また、一対の被係合部５０の第２傾斜面５２どうしの間隔は、上方に向けて狭くなっている。これにより、係合爪３０を被係合部５０から外す際に、第２傾斜面５２が係合爪３０をガイドすることにより、係合爪３０をスムーズに被係合部５０から外すことができる。より具体的には、第２傾斜面５２が第２傾斜部３４および係合部３３をガイドすることにより、係合部３３をスムーズに被係合部５０から外すことができる。
【００３４】
図３（ａ）〜（ｃ）は第１取付部１０を示す図であり、このうち図３（ａ）は斜視図、図３（ｂ）は平面図、図３（ｃ）は側面図である。
【００３５】
第１取付部１０は、少なくとも一対の係合爪３０を有している。図３（ａ）〜（ｃ）には、第１取付部１０が二対の係合爪３０を有する例を示している。第１取付部１０は、例えば矩形状の枠体であり、４つの縁部１１〜１４を有している。縁部１１と縁部１３とは互いに対向し、縁部１２と縁部１４とは互いに対向している。縁部１２は縁部１１の一端部と縁部１３の一端部とを相互に連結し、縁部１４は縁部１１の他端部と縁部１３の他端部とを相互に連結している。
【００３６】
第１取付部１０は、例えば、金属等の弾性材料からなる板材に打ち抜き加工および折り曲げ加工等を施すことにより構成されている。なお、第１取付部１０には、樹脂コーティング等の絶縁コーティングが施されていても良い。
【００３７】
ここで、発光パネル１０１の第２面１０１ｂには、電極端子１７１が形成されている。図３（ａ）および（ｂ）には、第１取付部１０が第２面１０１ｂに固定された状態での１７１の配置の例を二点鎖線で示している。図３（ａ）および（ｂ）に示すように、電極端子１７１は、第１取付部１０の枠体の内側に位置する。つまり、第１取付部１０は、発光パネル１０１の電極端子１７１を囲むように配置される。
【００３８】
図４は第２取付部２０の分解斜視図、図５は第２取付部２０の斜視図である。第２取付部２０は、ハウジング２１と、電極端子６１を有する端子部材６０と、端子部材６０との協働により導通ケーブル７５の芯線７５ａを保持する保持部材７０と、を有する。
【００３９】
ハウジング２１は、例えば、第１ハウジング部材２２と第２ハウジング部材２３とを相互に結合することにより構成されている。第１ハウジング部材２２および第２ハウジング部材２３は、例えば樹脂等の絶縁性材料により構成されている。第１ハウジング部材２２に形成された係合爪２２１が、第２ハウジング部材２３に形成された被係合部２２２に対して係合するとともに、第１ハウジング部材２２に形成されたボス（図示略）が第２ハウジング部材２３に形成されたボス孔２５に対して圧入されることにより、第１ハウジング部材２２と第２ハウジング部材２３とが相互に結合され、ハウジング２１が構成される（図５）。ハウジング２１内には、複数（例えば３つ）の端子部材６０と、各端子部材６０と１対１で対応する保持部材７０と、が収容保持される。この状態で、端子部材６０の電極端子６１はハウジング２１から突出している。
【００４０】
ここで、第２取付部２０は、発光パネル１０１に対して対向する対向面４１を有しており、電極端子６１は対向面４１から突出している。
【００４１】
また、第２取付部２０は、対向面４１に対して交差している側面４２、４３を有している。側面４２および側面４３は互いに反対側を向く面である。側面４２、４３にそれぞれ２つずつの被係合部５０が形成されている。より具体的には、被係合部５０は、側面４２、４３における対向面４１側の端部（図２（ａ）等において下端部）に形成されている。
【００４２】
図６（ａ）および（ｂ）は端子部材６０を示す図であり、このうち図６（ａ）は斜視図、図６（ｂ）は側面図である。端子部材６０は、例えば、金属等の導電性材料からなる板材に打ち抜き加工、折り曲げ加工等を施すことにより構成されている。端子部材６０は、導電性を有するだけでなく、弾性変形可能である。端子部材６０は、電極端子６１の他に、例えば一対の芯線保持端子６２と、板状の基部６３と、を有する。基部６３を介して、一対の芯線保持端子６２と電極端子６１とが相互に電気的および機械的に接続されている。
【００４３】
図４に示すように、保持部材７０は、例えば、金属等の導電性材料からなる板材に打ち抜き加工、折り曲げ加工等を施すことにより構成されている。保持部材７０は、例えば、板状の本体部７１と、一直線上に並んで配置された４つの折り曲げ片７２と、を有する。折り曲げ片７２の周囲には折り曲げ片７２の三方を囲むスリット７３が形成されている。折り曲げ片７２は、本体部７１の一方の面から斜めに起立するように折り曲げられている。
【００４４】
図７は第２取付部２０をベース部９０に固定し、且つ、第２取付部２０に導通ケーブル７５を接続した状態の側断面図である。なお、図７は、図２（ａ）に対して直交する断面を示す。図８は第２取付部２０に導通ケーブル７５を接続した状態の斜視図（第２取付部２０を下側から見上げた状態を示す図）である。ここで、図４〜図６は、図１〜図３とは上下が反転しているのに対して、図７および図８は図１〜図３と上下が一致している。
【００４５】
図７に示すように、導通ケーブル７５は、金属細線の撚り線などからなる芯線７５ａと、合成樹脂等の絶縁性材料からなり芯線７５ａを被覆している被覆部７５ｂと、を備える。導通ケーブル７５の先端部においては、芯線７５ａが被覆部７５ｂから露出している。
【００４６】
第２取付部２０のハウジング２１には、導通ケーブル７５の芯線７５ａをハウジング２１の内部に導入するための導入孔２６が形成されている。保持部材７０は、ハウジング２１内において、端子部材６０の一対の芯線保持端子６２と対向するように配置される。
【００４７】
芯線７５ａは、導入孔２６を通して、保持部材７０の２つの折り曲げ片７２と、１つの芯線保持端子６２と、の間に挿入され、２つの折り曲げ片７２と１つの芯線保持端子６２とにより挟み込むようにして保持される。これにより、芯線７５ａは、芯線保持端子６２、ひいては電極端子６１に対して電気的に接続される。なお、芯線保持端子６２は、芯線７５ａを２つの折り曲げ片７２に対して弾性的に押し付ける。これにより、２つの折り曲げ片７２と１つの芯線保持端子６２との間から芯線７５ａが抜けてしまうことが抑制される。
【００４８】
１組の端子部材６０及び保持部材７０によって、１組の（２本の）導通ケーブル７５の芯線７５ａが、それらの先端どうしが互いに対向するようにして保持される。これにより、これら芯線７５ａは、端子部材６０を介して相互に電気的に接続される。本実施形態の場合、第２取付部２０は、例えば、３組の端子部材６０及び保持部材７０を有する。このため、例えば図８に示すように、３組（合計６本）の導通ケーブル７５が第２取付部２０に接続される。
【００４９】
ここで、第２取付部２０の対向面４１には、棒状の治具（図示略）をハウジング２１内に挿入するための治具挿入孔２７が形成されている。治具挿入孔２７は、芯線保持端子６２の各々と対応する位置に形成されている。つまり、本実施形態の場合、例えば、６つの治具挿入孔２７が第２取付部２０に形成されている。
【００５０】
導通ケーブル７５を第２取付部２０から取り外す必要が生じた場合には、先ず、治具挿入孔２７を介して棒状の治具をハウジング２１内に差し込み、該治具によって芯線保持端子６２を基部６３側に押圧することによって、芯線保持端子６２を基部６３側に弾性変形させる。その状態で、芯線７５ａを２つの折り曲げ片７２と１つの芯線保持端子６２との間から引き抜く。これにより、導通ケーブル７５を第２取付部２０から取り外すことができる。
【００５１】
ここで、図７等に示すように、ベース部９０は、例えば、板状の本体部９１を有し、本体部９１には、第２取付部２０を位置決めして固定するための開口部９２が形成されている。
【００５２】
一方、第２取付部２０は、扁平な直方体形状などの、上下方向に薄い形状に形成されている。第２取付部２０の上部は、開口部９２内に嵌め込まれる嵌入部２０ａを構成し、第２取付部２０の下部は、嵌入部２０ａが開口部９２内に嵌め込まれた状態で、ベース部９０よりも下方に突出する突出部２０ｂを構成している。嵌入部２０ａおよび突出部２０ｂも、それぞれ扁平な直方体形状などの、上下方向に薄い形状に形成されている。なお、突出部２０ｂは、嵌入部２０ａよりも平面積が広く、突出部２０ｂの一部分は、ベース部９０に沿う方向において嵌入部２０ａよりも外方に張り出している。
【００５３】
第２取付部２０は、嵌入部２０ａがベース部９０の開口部９２内に嵌入された状態で、ベース部９０に対して固定される。例えば、突出部２０ｂにおいて、ベース部９０に沿う方向において嵌入部２０ａよりも張り出している部分が、ベース部９０の本体部９１の下面に対して固定される。本体部９１に対する突出部２０ｂの固定は、例えば接着により行うことができる。ただし、その他の固定方法により突出部２０ｂを本体部９１に固定しても良い。
【００５４】
より具体的には、突出部２０ｂは、発光パネル１０１に対して対向する対向面１２１と、側面１２２、１２３と、を有しており、側面１２２、１２３に導入孔２６が形成されている。すなわち、第２取付部２０は、第２取付部２０がベース部９０に対して取り付けられた状態で、ベース部９０より突出する突出部２０ｂを有し、突出部２０ｂは、発光パネル１０１に対して対向する対向面１２１と、対向面に対して交差している側面１２２、１２３と、を有し、突出部２０ｂの側面１２２、１２３には、突出部２０ｂ内に導通ケーブル７５（の芯線７５ａ）を導入するための導入孔２６が形成されている。なお、対向面１２１と対向面４１とは、例えば同一である。また、側面１２２および側面１２３は互いに反対側を向く面である。
【００５５】
また、上記のように、第２取付部２０は、例えば、突出部２０ｂがベース部９０の本体部９１に対して接着固定されることにより、光源取付装置２００に対して固定される。従って、第２取付部２０において導通ケーブル７５が導入される部分（突出部２０ｂ）は、ベース部９０に対して接着固定される部分を兼ねることとなる。
【００５６】
図９は面光源１００を光源取付装置２００に取り付ける動作を示す模式的な正面断面図、図１０はカバー部材３００を光源取付装置２００に取り付ける動作を示す模式的な正面断面図、図１１はカバー部材３００が光源取付装置２００に取り付けられた状態を示す模式的な正面断面図である。図１２はカバー部材３００とベース部９０との係合構造を示す正面断面図であり、図１１のＡ部の拡大図である。
【００５７】
先ず、ベース部９０を天井又は壁等の支持構造物に固定する。次に、図９に示すように、ベース部９０に第２取付部２０を固定する。そして、第２取付部２０に対して導通ケーブル７５を接続する（図７、図８参照）。一方、発光パネル１０１の第２面１０１ｂには第１取付部１０を接着等により固定しておく。
【００５８】
次に、第１取付部１０が第２取付部２０側に近づくように、面光源１００を光源取付装置２００側に移動させる。これにより、図１０に示すように、係合爪３０がそれぞれ対応する被係合部５０に対して係合し、第１取付部１０と第２取付部２０とが相互に固定される。よって、面光源１００が光源取付装置２００に対して固定される。
【００５９】
また、それと同時に、第２取付部２０の各電極端子６１（例えば３つの電極端子６１）の各々が、発光パネル１０１の対応する電極端子１７１に対して弾性的に圧接される。この際、例えば、各電極端子６１の一部分がハウジング２１内に押し込まれる。こうして、各電極端子６１が各電極端子１７１に対して電気的に接続される。各電極端子６１には、それぞれ対応する導通ケーブル７５を介して電力や信号が供給される。このため、各電極端子６１が各電極端子１７１に対して電気的に接続されることにより、発光パネル１０１には、導通ケーブル７５および第２取付部２０を介して電力や信号が供給される状態となる。
【００６０】
ここで、発光パネル１０１は、ベース部９０に対して平行に対向するように配置される。発光パネル１０１の第２面１０１ｂとベース部９０との間には、突出部２０ｂの厚みと対応する隙間が形成される。この隙間において、導通ケーブル７５を引き回すことができる。
【００６１】
次に、カバー部材３００をベース部９０に固定する。ここで、カバー部材３００は、図１０および図１１に示すように、発光パネル１０１の周囲を囲む枠状（例えば矩形枠状）の壁部３０１と、発光パネル１０１の周縁部を支持する支持部３０２と、を有する。支持部３０２は、壁部３０１の下端部の内縁に形成されている。支持部３０２には、開口３０４が形成されている。壁部３０１の内面には係合凹部３０３が形成され、ベース部９０の周縁部には、係合凹部３０３に対して係合する係合突起９５が形成されている。図１１および図１２に示すように、係合凹部３０３に対して係合突起９５が係合するように、カバー部材３００をベース部９０側に移動させることにより、カバー部材３００をベース部９０に固定することができる。これにより、支持部３０２によって発光パネル１０１の周縁部が支持されるので、発光パネル１０１を含む面光源１００がより強固に光源取付装置２００に対して固定される。また、カバー部材３００をベース部９０に固定された状態において、発光パネル１０１の第１面１０１ａは、カバー部材３００の開口３０４を介して発光装置の下方に臨んだ状態となる。
【００６２】
なお、図１０、図１１及び図１２に示されるように、ベース部９０の周縁部にはテーパー面が形成されていても良い。このような構成であれば、カバー部材３００をベース部９０に取り付ける際に、壁部３０１の上端部の内側角部が、テーパー面に沿って徐々に外方に広がってくため、より容易にカバー部材３００をベース部９０に固定することができる。図１０、図１１及び図１２には、係合突起９５の下面をテーパー面とした例を示している。
【００６３】
発光パネル１０１をベース部９０から取り外す場合には、例えば、以下の動作を行う。
先ず、カバー部材３００を下方に引っ張ることにより、カバー部材３００をベース部９０から取り外す。次に、面光源１００を下方に引っ張ることにより、各係合爪３０をそれぞれ対応する被係合部５０から外す。
【００６４】
このように、発光パネル１０１をベース部９０に取り付ける動作は、単に面光源１００を上方に押し込むだけの簡単な動作であるとともに、発光パネル１０１をベース部９０から取り外す動作も、単に面光源１００を下方に引っ張るだけの簡単な動作である。よって、発光パネル１０１をベース部９０に対して容易に着脱することが可能である。
【００６５】
図１３（ａ）および（ｂ）は第１取付部１０および第２取付部２０を示す斜視図であり、このうち図１３（ａ）は第１取付部１０と第２取付部２０とが相互に分離した状態を示し、図１３（ｂ）は第１取付部１０と第２取付部２０とが相互に固定された状態を示す。
【００６６】
第１取付部１０は、第１取付部１０を誤った向きで第２取付部２０に対して固定してしまうこと（いわゆる誤差し）を防止するための嵌合突起部１５を有する。嵌合突起部１５は、例えば、縁部１１と縁部１２との境界部に形成されている。ただし、嵌合突起部１５は、第１取付部１０における他の部分に配置されていても良い。
【００６７】
一方、第２取付部２０には、嵌合突起部１５と嵌合する嵌合切欠部２９が形成されている。
【００６８】
これにより、第２取付部２０に対する第１取付部１０の向きを一義的な所定の向きにしたときにのみ、嵌合突起部１５と嵌合切欠部２９とが嵌合するとともに、各係合爪３０が被係合部５０に対して係合することにより、第１取付部１０を第２取付部２０に対して取り付けることができるようになっている。第２取付部２０に対する第１取付部１０の向きを一義的な所定の向き以外の向きにしたときには、例えば嵌合突起部１５が第２取付部２０と干渉し、係合爪３０が被係合部５０に届かず係合爪３０を被係合部５０に係合させることができないようになっている。よって、第１取付部１０を誤った向きで第２取付部２０に対して固定してしまうことを防止できる。
【００６９】
次に、面光源１００の発光パネル１０１の構成について説明する。図１４は発光パネル１０１の構成の例を示す断面図である。
【００７０】
発光パネル１０１は、平板なパネル状に形成されている。一例として、発光パネル１０１の平面形状は、矩形状であることが挙げられるが、その他の多角形状（五角形、六角形など）でも良いし、円形、楕円形、長円形などでも良い。発光パネル１０１は、例えば、発光素子１０２と、この発光素子１０２が一方の面に設けられた固定板１６０と、を備えている。
【００７１】
発光素子１０２は、例えば、有機ＥＬ（Ｅｌｅｃｔｒｏ  Ｌｕｍｉｎｅｓｃｅｎｃｅ）素子である。ただし、発光素子１０２は、有機ＥＬ素子に限らない。発光素子１０２は、例えば、ＬＥＤ（Ｌｉｇｈｔ  Ｅｍｉｔｔｉｎｇ  Ｄｉｏｄｅ）と導光板とを組み合わせて構成されていても良いし、複数のＬＥＤをアレイ状に配列することにより構成されていても良い。また、発光素子１０２は、無機ＥＬ素子であっても良い。発光素子１０２の一方の面（図１４における上面）は、発光パネル１０１の第１面１０１ａを構成している。第１面１０１ａは、光を放射する発光面である。
【００７２】
発光パネル１０１は、発光素子１０２を発光させる制御を行う電子回路を含んで構成されていても良いし、電子回路は、発光パネル１０１とは別体となっていても良い。
【００７３】
図１４には、発光素子１０２が有機ＥＬ素子である場合の構成例を示している。この場合、発光素子１０２は、例えば、透光性基板１１０と、透光性の第１電極１３０と、有機機能層１４０と、第２電極１５０と、を有する。第１電極１３０は、透光性基板１１０の一方の面側（図１４において下側）に配置されている。有機機能層１４０は、第１電極１３０を基準として透光性基板１１０とは反対側（図１４において下側）に配置されている。第２電極１５０は、有機機能層１４０を基準として第１電極１３０とは反対側（図１４において下側）に配置されている。なお、透光性基板１１０と第１電極１３０とは相互に接していても良いし、それらの間に他の透光性の層が存在していても良い。同様に、第１電極１３０と有機機能層１４０とは相互に接していても良いし、それらの間に他の透光性の層が存在していても良い。同様に、有機機能層１４０と第２電極１５０とは相互に接していても良いし、それらの間に他の層が存在していても良い。また、第２電極１５０の下面には必要に応じて封止層を形成しても良い。
【００７４】
透光性基板１１０は、ガラスや樹脂などの透光性を有する材料からなる板状部材である。例えば、透光性基板１１０の上面、すなわち透光性基板１１０における有機機能層１４０とは反対側の面は、平坦な光取り出し面（上記の第１面１０１ａ）となっている。この光取り出し面は、光放出空間を充たす空気（屈折率１）と接している。なお、透光性基板１１０の上面には、光拡散フィルムなどの光取り出しフィルムが貼り付けられており、この光取り出しフィルムの上面が光取り出し面（上記の第１面１０１ａ）を構成していても良い。
【００７５】
第１電極１３０は、例えばＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）などの金属酸化物導電体からなる透明電極とすることができる。ただし、第１電極１３０は、光が透過する程度に薄い金属薄膜であっても良い。有機機能層１４０は、少なくとも発光層を含んで構成されている。第２電極１５０は、例えば、ＡｌやＡｇなどの金属膜からなる反射電極である。第２電極１５０は、有機機能層１４０から第２電極１５０側に向かう光を、透光性基板１１０側に向けて反射する。
【００７６】
第１電極１３０と第２電極１５０との間に電圧が印加されることにより、有機機能層１４０の発光層が発光する。透光性基板１１０、第１電極１３０及び有機機能層１４０は、いずれも、有機機能層１４０の発光層が発光した光の少なくとも一部を透過する。発光層が発光した光の一部は、透光性基板１１０の光取り出し面から、発光パネル１０１の外部（つまり上記光放出空間）に放射される（取り出される）。
【００７７】
図示しない接続導体を介して、第１電極１３０には１つの電極端子１７１が電気的に接続されている。同様に、図示しない接続導体を介して、第２電極１５０には他の１つの電極端子１７１が電気的に接続されている。
【００７８】
面光源１００を光源取付装置２００に取り付けることにより、外部電源から、導通ケーブル７５、端子部材６０、および電極端子１７１を介して発光素子１０２に電力を供給し、発光素子１０２を発光させることができるようになっている。
【００７９】
以下、有機機能層１４０の層構造の例を説明する。
【００８０】
図１５は有機機能層１４０の層構造の第１例を示す断面図である。この有機機能層１４０は、正孔注入層１４１、正孔輸送層１４２、発光層１４３、電子輸送層１４４、及び電子注入層１４５をこの順に積層した構造を有している。すなわち有機機能層１４０は、有機ＥＬ発光層である。なお、正孔注入層１４１及び正孔輸送層１４２の代わりに、これら２つの層の機能を有する一つの層を設けてもよい。同様に、電子輸送層１４４及び電子注入層１４５の代わりに、これら２つの層の機能を有する一つの層を設けてもよい。
【００８１】
発光層１４３は、例えば赤色の光を発光する層、青色の光を発光する層、又は緑色の光を発光する層である。この場合、平面視において、赤色の光を発光する発光層１４３を有する領域、緑色の光を発光する発光層１４３を有する領域、及び青色の光を発光する発光層１４３を有する領域が繰り返し設けられていても良い。この場合、各領域を同時に発光させると、発光装置は白色等の単一の発光色で発光する。
【００８２】
なお、発光層１４３は、複数の色を発光するための材料を混ぜることにより、白色等の単一の発光色で発光するように構成されていても良い。
【００８３】
図１６は有機機能層１４０の層構造の第２例を示す断面図である。この有機機能層１４０の発光層１４３は、発光層１４３ａ、１４３ｂ、１４３ｃをこの順に積層した構成を有している。発光層１４３ａ、１４３ｂ、１４３ｃは、互いに異なる色の光（例えば赤、緑、及び青）を発光する。そして発光層１４３ａ、１４３ｂ、１４３ｃが同時に発光することにより、発光装置は白色等の単一の発光色で発光する。
【００８４】
以上のような実施形態によれば、取付装置は、発光パネル１０１に取り付けられる第１取付部１０と、ベース部９０に取り付けられる第２取付部２０と、を備える。つまり、発光パネル１０１をベース部９０に固定するためのコネクタである取付装置が、第１取付部１０と第２取付部２０とに分かれた分離型である。第１取付部１０は、発光パネル１０１においてベース部９０に対して対向する面（第２面１０１ｂ）に取り付けられるものである。そして、第１取付部１０と第２取付部２０とのうちの一方は、少なくとも一対の係合爪３０を有し、他方は、少なくとも一対の係合爪３０がそれぞれ係合される被係合部５０を有する。そして、第１取付部１０が第２取付部２０側に近づけられることにより、係合爪３０がそれぞれ対応する被係合部５０に対して係合し、第１取付部１０と第２取付部２０とが相互に固定される。よって、発光パネル１０１を簡単な取り付け動作によりベース部９０に取り付けることができる。また、第１取付部１０は発光パネル１０１の第２面１０１ｂにおける適宜の位置に取り付ければ良い。このため、複数の発光パネル１０１を互いに隣接させて配置する場合において、隣り合う発光パネル１０１どうしの間隔に第１取付部１０及び第２取付部２０が介在しない配置となるように第１取付部１０を発光パネル１０１に取り付けることを、容易になし得る。よって、複数の発光パネル１０１を互いに隣接させて配置する場合において、隣り合う発光パネル１０１どうしの間隔を容易に抑制することができる。
【００８５】
また、第１取付部１０は発光パネル１０１よりも面積が小さいので、隣り合う発光パネル１０１どうしの間隔に第１取付部１０及び第２取付部２０が介在しない配置とすることを、容易になし得る。よって、複数の発光パネル１０１を互いに隣接させて配置する場合において、隣り合う発光パネル１０１どうしの間隔を容易に抑制することができる。
【００８６】
また、第２取付部２０は、発光パネル１０１に電力を供給するための給電端子（電極端子６１）を有する。よって、第２取付部２０から発光パネル１０１に対して電力を供給することができる。
【００８７】
また、第２取付部２０は、第２取付部２０がベース部９０に対して取り付けられた状態でベース部９０より突出する突出部２０ｂを有し、突出部２０ｂは、発光パネル１０１に対して対向する対向面１２１と、対向面１２１に対して交差している側面１２２、１２３と、を有する。そして、突出部２０ｂの側面１２２、１２３には、突出部２０ｂ内に導通ケーブル７５を導入するための導入孔２６が形成されている。よって、発光パネル１０１とベース部９０との隙間を介して導通ケーブル７５を引き回して、該導通ケーブル７５を第２取付部２０内に導入することができる。
【００８８】
また、第１取付部１０が係合爪３０を有し、第２取付部２０が被係合部５０を有するので、第１取付部１０が被係合部５０を有し第２取付部２０が係合爪３０を有する構造と比べると、第２取付部２０の側面から第２取付部２０に導通ケーブル７５を導入する構造を前提とした場合において、取付装置の厚みを抑制することができる。
【００８９】
また、第２取付部２０は、発光パネル１０１に対して対向する対向面４１と、対向面４１に対して交差している側面４２、４３と、を有し、被係合部５０は、第２取付部２０の側面４２、４３にそれぞれ形成されている。これにより、例えば、被係合部５０が第２取付部２０の下面に形成された穴である場合などと比べると、係合爪３０を被係合部５０に対して係止させる動作が大まかな動作であったとしても、より確実に係合爪３０を被係合部５０に対して係止させることが可能となる。よって、発光パネル１０１をより容易にベース部９０に取り付けることができる。
【００９０】
＜変形例＞
図１７（ａ）および図１７（ｂ）は変形例に係る係合爪２３０を示す正面断面図である。係合爪２３０は、例えば、支持部２３１と、第１傾斜部２３２と、係合部２３３と、第２傾斜部２３４と、延長部２３６と、荷重受部２３５と、を有する。
【００９１】
支持部２３１は、その基端側（下端側）が発光パネル１０１の第２面１０１ｂに固定されている。支持部２３１は、その基端側（下端側）から一方（上側）に向けて起立している。
【００９２】
第１傾斜部２３２は、支持部２３１の先端部（上端部）から折れ曲がるようにして形成された部分である。第１傾斜部２３２は、支持部２３１よりも、対向する係合爪２３０の近く（図１７（ａ）、（ｂ）において左側）に位置する。互いに対向する係合爪２３０の第１傾斜部２３２どうしの間隔は、上方に向けて狭まっている。
【００９３】
第２傾斜部２３４は、第１傾斜部２３２の先端部（下端部）から折り返されるようにして形成された部分である。第２傾斜部２３４は、第１傾斜部２３２よりも上側に位置する。互いに対向する係合爪２３０の第２傾斜部２３４どうしの間隔は、上方に向けて広がっている。
【００９４】
係合部２３３は、第１傾斜部２３２と第２傾斜部２３４との間の屈曲部およびその近傍の部分である。係合爪２３０が被係合部５０に対して係合した状態において、係合部２３３は被係合部５０に対して接触した状態となる（図１７（ｂ））。
【００９５】
延長部２３６は、第２傾斜部２３４の先端部（上端部）から折れ曲がるようにして形成され、下方に向けて延びる部分である。延長部２３６の先端部（下端部）が荷重受部２３５である。荷重受部２３５は、発光パネル１０１の第２面１０１ｂの近傍に位置している。係合爪２３０が被係合部５０に対して係合する際に、荷重受部２３５が発光パネル１０１の第２面１０１ｂに接触することにより、係合爪３０の座屈が抑制される。
【００９６】
本変形例における係合爪２３０の場合、第１傾斜部２３２の下方に支持部２３１が位置している。このため、係合爪２３０を被係合部５０から外す際における係合爪２３０の座屈を好適に抑制できる。
【００９７】
なお、上記の実施形態及び変形例においては、第１取付部１０が係合爪３０（２３０）を有し、第２取付部２０が被係合部５０を有する例を説明したが、第２取付部２０が係合爪３０（２３０）を有し、第１取付部１０が被係合部５０を有していても良い。
【００９８】
また、上記においては、取付装置が二対の係合爪３０（２３０）と二対の被係合部５０とを有する例を説明したが、取付装置は一対以上の係合爪３０（２３０）と一対以上の被係合部５０とを有していれば良い。
【００９９】
なお、上記における各構成要素は、必ずしも個々に独立した存在である必要はない。複数の構成要素が一個の部材として形成されていても良いし、一つの構成要素が複数の部材で形成されていても良い。また、ある構成要素が他の構成要素の一部であっても良いし、ある構成要素の一部と他の構成要素の一部とが重複していても良い。
【符号の説明】
【０１００】
１０ 第１取付部
１１ 縁部
１２ 縁部
１３ 縁部
１４ 縁部
１５ 嵌合突起部
２０ 第２取付部
２０ａ 嵌入部
２０ｂ 突出部
２１ ハウジング
２２ 第１ハウジング部材
２３ 第２ハウジング部材
２５ ボス孔
２６ 導入孔
２７ 治具挿入孔
２９ 嵌合切欠部
３０ 係合爪
３１ 支持部
３２ 第１傾斜部
３３ 係合部
３４ 第２傾斜部
３５ 荷重受部
４１ 対向面
４２ 側面
４３ 側面
５０ 被係合部
５１ 第１傾斜面
５２ 第２傾斜面
６０ 端子部材
６１ 電極端子（給電端子）
６２ 芯線保持端子
６３ 基部
７０ 保持部材
７１ 本体部
７２ 折り曲げ片
７３ スリット
７５ 導通ケーブル
７５ａ 芯線
７５ｂ 被覆部
９０ ベース部
９１ 本体部
９２ 開口部
９５ 係合突起
１００ 面光源
１０１ 発光パネル
１０１ａ 第１面
１０１ｂ 第２面
１０２ 発光素子
１１０ 透光性基板
１２１ 対向面
１２２ 側面
１２３ 側面
１３０ 第１電極
１４０ 有機機能層
１４１ 正孔注入層
１４２ 正孔輸送層
１４３ 発光層
１４３ａ、１４３ｂ、１４３ｃ 発光層
１４４ 電子輸送層
１４５ 電子注入層
１５０ 第２電極
１６０ 固定板
１７１ 電極端子（受電端子）
２００ 光源取付装置
２２１ 係合爪
２２２ 被係合部
２３０ 係合爪
２３１ 支持部
２３２ 第１傾斜部
２３３ 係合部
２３４ 第２傾斜部
２３５ 荷重受部
２３６ 延長部
３００ カバー部材
３０１ 壁部
３０２ 支持部
３０３ 係合凹部
３０４ 開口
【図１】
2015011858.tif 000003
【図２】
2015011858.tif 000004
【図３】
2015011858.tif 000005
【図４】
2015011858.tif 000006
【図５】
2015011858.tif 000007
【図６】
2015011858.tif 000008
【図７】
2015011858.tif 000009
【図８】
2015011858.tif 000010
【図９】
2015011858.tif 000011
【図１０】
2015011858.tif 000012
【図１１】
2015011858.tif 000013
【図１２】
2015011858.tif 000014
【図１３】
2015011858.tif 000015
【図１４】
2015011858.tif 000016
【図１５】
2015011858.tif 000017
【図１６】
2015011858.tif 000018
【図１７】
2015011858.tif 000019